(57)【要約】【課題】デビット端末機を操作する係員やデビット端末機を実際に利用する利用者を、撮影カメラにより撮影された顔画像を利用することにより正当な操作者或いは利用者であるかを容易且つ正確に認証することができる人物認証システムに関する。【解決手段】デビット端末機３００における扉体３１０の開放を検知時に、この扉体３１０を開けた人物の顔画像を撮影カメラ３１２により撮影し、撮影された撮影画像を情報処理センタ６００に送信し、情報処理センタ６００では、このデビット端末機３００から送信された顔画像と、予め係員画像情報データベース６４０に記憶されている顔画像との照合をおこない、両者の顔画像が一致しない場合には、第三者により、扉体３１０が開けられたとして、パトライトの点灯などにより警報を発する。【選択図】        図２
2006031282.tif 000002
【特許請求の範囲】
【請求項１】
開閉部を操作する操作者の顔画像を撮影する撮影手段を内部に備えるともに、当該撮影手段により撮影された顔画像情報に基づいて人物の認証をおこなう取引用端末装置における人物認証システムであって、
前記開閉部の開閉操作を許可された操作者の顔画像を登録した顔画像情報登録手段を有し、
前記取引用端末装置は、
前記開閉部の開閉動作を検知する開閉動作検知手段と、
前記開閉動作検知手段による開閉部の開閉動作検知時に、前記撮影手段を作動させる撮影制御手段と、
前記撮影手段により撮影された顔画像を取得する顔画像情報取得手段と、
前記顔画像情報取得手段により取得された顔画像と、前記顔画像情報登録手段に登録された顔画像との照合による顔画像情報の一致を判定する顔画像情報判定手段と、
前記顔画像情報判定手段により顔画像の不一致が判定された場合に、異常状態として異常対応処理をおこなう異常対応処理手段と
を備えたことを特徴とする人物認証システム。
【請求項２】
扉体の開閉をおこなう操作者の顔画像を撮影する撮影手段を内部に備えるともに、当該撮影手段により撮影された顔画像情報に基づいて人物の認証をおこなう取引用端末装置における人物認証システムであって、
前記取引用端末装置は、
前記扉体の開閉を検知する開閉検知手段と、
前記扉体の開閉操作を許可された正当な操作者の顔画像を登録した顔画像情報登録手段と、
前記開閉検知手段による扉体の開放検知時に、前記撮影手段を作動させる撮影制御手段と、
前記撮影手段により撮影された顔画像を取得する顔画像情報取得手段と、
前記顔画像情報取得手段により取得された顔画像と、前記顔画像情報登録手段に登録された顔画像との照合による顔画像情の一致を判定する顔画像情報判定手段と、
前記顔画像情報判定手段により顔画像の不一致が判定された場合に、異常状態として異常対応処理をおこなう異常対応処理手段と
を備えたことを特徴とする人物認証システム。
【請求項３】
前記開閉動作検知手段は、前記開閉部の開閉を検知することを特徴とする請求項１または２に記載の人物認証システム。
【請求項４】
前記開閉部は、開閉を禁止する施錠手段を備え、前記開閉動作検知手段は、前記施錠手段の操作を検知することを特徴とする請求項１または２に記載の人物認証システム。
【請求項５】
前記異常対応処理手段は、
前記開閉部の開閉操作を許可されていない操作者が開閉部の開閉を操作した旨を異常検知情報として外部に報知する機能を備えるとともに、前記異常検知情報を外部の報知先または管理装置に対して送信をおこなう送信機能を備えることを特徴とする請求項１から４のいずれか一つに記載の人物認証システム。
【請求項６】
前記異常対応処理手段は、
前記顔画像情報判定手段により顔画像の不一致が判定された場合に、取引用端末装置による運用を一時的に停止する機能を備えることを特徴とする請求項１から５のいずれか一つに記載の人物認証システム。
【請求項７】
前記顔画像情報取得手段は、前記顔画像を識別用の変換データ（キーデータ）として取得する機能を備えるとともに、前記顔画像情報登録手段は、顔画像と対応する変換データを記憶する機能を備えることを特徴とする請求項１から６のいずれか一つに記載の人物認証システム。
【請求項８】
前記取引用端末装置は、デビットカードの利用によりデビット決済処理をおこなうデビット決済用の取引用端末装置であることを特徴とする請求項１から７のいずれか一つに記載の人物認証システム。
【請求項９】
デビットカードによるデビット処理をおこなうとともに、顔画像を撮影する撮影手段を備える取引用端末装置と、当該取引用端末装置と公衆回線により接続されるとともに、デビット決済をおこなう情報処理センタと、金融機関とを備え、前記撮影手段により撮影された顔画像情報に基づいて人物の認証をおこなう取引用端末装置における人物認証システムであって、
前記取引用端末装置は、
前記取引用端末装置を利用する利用者の顔画像を撮影する撮影手段と、
前記利用者による取引用端末装置の利用を判定するデビット利用判定手段と、
前記デビット利用判定手段によるデビット利用時に、前記撮影手段を作動させて、前記利用者の顔画像を取得する撮影制御手段と、
前記撮影手段により撮影された利用者の顔画像を取得する顔画像情報取得手段と、
前記顔画像情報取得手段により取得された顔画像をデビットカードのカード情報に対応付けて記憶する顔画像情報記憶手段と
を備えたことを特徴とする人物認証システム。
【請求項１０】
前記取引用端末装置は、
前記デビット利用定手段によるデビット利用の判定時に、前記情報処理センタに対して、前記撮影手段により撮影された顔画像情報を送信する送信手段をさらに備え、
前記情報処理センタは、
前記取引用端末装置から送信された顔画像情報を記憶する取引情報登録手段を備え、当該取引情報登録手段には、利用実績があるデビットカードのカード情報に対応付けられた正当な利用者の顔画像が登録されることを特徴とする請求項９に記載の人物認証システム。
【請求項１１】
前記情報処理センタは、
前記顔画像情報記憶手段により記憶された顔画像と、前記取引情報登録手段に登録された顔画像との照合により、顔画像情報の一致を判定する顔画像情報判定手段と、
前記顔画像情報判定手段により判定された判定結果に基づいて、デビット決済の可否を判定するデビット決済判定手段とを備えることを特徴とする請求項１０に記載の人物認証システム。
【請求項１２】
前記顔画像情報取得手段は、前記顔画像を識別用の変換データとして取得する機能を備えるとともに、前記取引情報登録手段は、顔画像と対応する変換データを記憶する機能を備えることを特徴とする請求項９、１０または１１に記載の人物認証システム。
【発明の詳細な説明】
【技術分野】
【０００１】
この発明は、デビット端末装置などの取引用端末装置を操作する係員などの操作者や、この端末装置を実際に利用する利用者の顔画像を、撮影カメラにより撮影し、撮影された人物の顔画像を予め登録した操作者／利用者の顔画像情報と照合することにより、正当な操作者或いは正当な利用者を容易且つ正確に判定（認証）することができる人物認証システムに関する。
【背景技術】
【０００２】
近年では、遊技店内にデビット決済用のデビット端末機（取引用端末装置）を設置し、デビットカード（銀行や郵便貯金のキャッシュカード）を用いる決済により、このデビット端末機に並設されたカード発行機を使用して遊技客の希望金額分のプリペイドカードを購入することができるデビット決済による遊技媒体貸出システムが実用化されている。
【０００３】
この種の遊技媒体貸出システムによると、デビット端末機でデビット決済を利用した遊技客の口座から、購入したプリペイドカードの有価価値分の引き落としをおこない、このデビット決済により購入したプリペイドカードを使用して遊技媒体（パチンコ玉やメダルなど）を借り受けて遊技をおこなうことができる（例えば、特許文献１参照）。
【０００４】
ここで、上述したようなデビット決済による遊技媒体貸出システム（デビットカードシステム）においては、デビット端末機３００（図３）の利用時にキャッシュカードを取り扱うため、暗証番号を入力する入力操作部に覗き見防止板を設けたり、キャッシュカードのカード情報を読み取るデビットカード処理部３９０（図５）とデビット端末機３００全体の制御をおこなうデビット制御部３４０（図５）とを筺体の内部に一体化（ブラックボックス）とするセキュリティ対策が施されている（以下、本明細書中では、このように一体化されたデビットカード処理部３９０とデビット制御部３４０とを含めて制御ユニット３６５と称する）。
【０００５】
また、このようなデビット端末機３００の重要部品である制御ユニット３６５（図５）は、キャッシュカードの暗証番号やカード情報を盗用するためのスキミング部品の取り付けによる不正改造を防止するため、扉体３１０（図４）を有するデビット端末機３００の内部に取り付けられている。さらに、この扉体３１０は、錠機構により施錠されており、この錠機構は遊技店の係員や保守会社の保守員が所有する鍵によってのみ解錠が可能となっている。また、このような錠機構の解錠としては、係員の認証カードや暗証番号を利用した解錠方法も提案されている。
【０００６】
【特許文献１】特開２００３−１６４９７号公報
【発明の開示】
【発明が解決しようとする課題】
【０００７】
ところが、上述した従来のセキュリティ対策の一環として提案されている人物認証システムの場合、以下に示すような問題がある。すなわち、前述したように、制御ユニット３６５は、取り外しを防止（不正改造の防止）するために、鍵機構を備えた扉体３１０により施錠されているデビット端末機３００の本体内部に取り付けられている。ところが、悪意のある第三者により鍵や認証用の係員認証カードが盗まれた場合や、暗証番号が漏洩した場合には、遊技店の係員でなくても、扉体３１０を開けることが可能となる。これによって、制御ユニット３６５の取り外しによる暗証番号やカード情報のスキミング部品の取り付けなどの不正改造が容易におこなわれる恐れがある。このため、暗証番号やカード情報のスキミング部品の取り付けなどによる不正改造がおこなわれた場合には、偽造カードによる被害が発生するという問題がある。
【０００８】
また、遊技店内で遊技をおこなっている遊技客は、遊技台にカバンや荷物を置いた状態で席を離れることがあるため、カバンに入れてあるキャッシュカードを盗まれる危険性がある。ここで、キャッシュカードの暗証番号は、誕生日や電話番号など比較的推測できる番号であることが多く、免許証など個人情報を特定できる情報から容易に判明してしまい短時間での犯罪を誘発するという問題がある。
【０００９】
一方、上述した状況を回避すべく、例えば、店内の監視カメラをデビット端末機３００に向けた状態で撮影をおこなうと、デビット端末機３００を利用する利用者の個人情報を遊技店側が知るものとなるため、遊技店の店員による犯罪行為を誘発する原因となり、好ましくないという問題がある。
【００１０】
そこで、この発明は、上述した従来技術による問題点を解決するためになされたものであり、取引用端末装置の正当な操作者或いは正当な利用者を容易且つ正確に判定（認証）することができる人物認証システムを提供することを目的とする。
【課題を解決するための手段】
【００１１】
上述した課題を解決し、目的を達成するために、請求項１に記載の発明は、開閉部を操作する操作者の顔画像を撮影する撮影手段を内部に備えるともに、当該撮影手段により撮影された顔画像情報に基づいて人物の認証をおこなう取引用端末装置における人物認証システムであって、前記開閉部の開閉操作を許可された操作者の顔画像を登録した顔画像情報登録手段を有し、前記取引用端末装置は、前記開閉部の開閉動作を検知する開閉動作検知手段と、前記開閉動作検知手段による開閉部の開閉動作検知時に、前記撮影手段を作動させる撮影制御手段と、前記撮影手段により撮影された顔画像を取得する顔画像情報取得手段と、前記顔画像情報取得手段により取得された顔画像と、前記顔画像情報登録手段に登録された顔画像との照合による顔画像情報の一致を判定する顔画像情報判定手段と、前記顔画像情報判定手段により顔画像の不一致が判定された場合に、異常状態として異常対応処理をおこなう異常対応処理手段とを備えたことを特徴とする。
【００１２】
また、請求項２に記載の発明は、扉体の開閉をおこなう操作者の顔画像を撮影する撮影手段を内部に備えるともに、当該撮影手段により撮影された顔画像情報に基づいて人物の認証をおこなう取引用端末装置における人物認証システムであって、前記取引用端末装置は、前記扉体の開閉を検知する開閉検知手段と、前記扉体の開閉操作を許可された正当な操作者の顔画像を登録した顔画像情報登録手段と、前記開閉検知手段による扉体の開放検知時に、前記撮影手段を作動させる撮影制御手段と、前記撮影手段により撮影された顔画像を取得する顔画像情報取得手段と、前記顔画像情報取得手段により取得された顔画像と、前記顔画像情報登録手段に登録された顔画像との照合による顔画像情の一致を判定する顔画像情報判定手段と、前記顔画像情報判定手段により顔画像の不一致が判定された場合に、異常状態として異常対応処理をおこなう異常対応処理手段とを備えたことを特徴とする。
【００１３】
また、請求項３に記載の発明は、請求項１または２に記載の発明において、前記開閉動作検知手段は、前記開閉部の開閉を検知することを特徴とする。
【００１４】
また、請求項４に記載の発明は、請求項１または２に記載の発明において、前記開閉部は、開閉を禁止する施錠手段を備え、前記開閉動作検知手段は、前記施錠手段の操作を検知することを特徴とする。
【００１５】
また、請求項５に記載の発明は、請求項１から４のいずれか一つに記載の発明において、前記異常対応処理手段は、前記開閉部の開閉操作を許可されていない操作者が開閉部の開閉を操作した旨を異常検知情報として外部に報知する機能を備えるとともに、前記異常検知情報を外部の報知先または管理装置に対して送信をおこなう送信機能を備えることを特徴とする。
【００１６】
また、請求項６に記載の発明は、請求項１から５のいずれか一つに記載の発明において、前記異常対応処理手段は、前記顔画像情報判定手段により顔画像の不一致が判定された場合に、取引用端末装置による運用を一時的に停止する機能を備えることを特徴とする。
【００１７】
また、請求項７に記載の発明は、請求項１から６のいずれか一つに記載の発明において、前記顔画像情報取得手段は、前記顔画像を識別用の変換データとして取得する機能を備えるとともに、前記顔画像情報登録手段は、顔画像と対応する変換データを記憶する機能を備えることを特徴とする。
【００１８】
また、請求項８に記載の発明は、請求項１から７のいずれか一つに記載の発明において、前記取引用端末装置は、デビットカードの利用によりデビット決済処理をおこなうデビット決済用の取引用端末装置であることを特徴とする。
【００１９】
また、請求項９に記載の発明は、デビットカードによるデビット処理をおこなうとともに、顔画像を撮影する撮影手段を備える取引用端末装置と、当該取引用端末装置と公衆回線により接続されるとともに、デビット決済をおこなう情報処理センタと、金融機関とを備え、前記撮影手段により撮影された顔画像情報に基づいて人物の認証をおこなう取引用端末装置における人物認証システムであって、前記取引用端末装置は、前記取引用端末装置を利用する利用者の顔画像を撮影する撮影手段と、前記利用者による取引用端末装置の利用を判定するデビット利用判定手段と、前記デビット利用判定手段によるデビット利用時に、前記撮影手段を作動させて、前記利用者の顔画像を取得する撮影制御手段と、前記撮影手段により撮影された利用者の顔画像を取得する顔画像情報取得手段と、前記顔画像情報取得手段により取得された顔画像をデビットカードのカード情報に対応付けて記憶する顔画像情報記憶手段と、を備えたことを特徴とする。
【００２０】
また、請求項１０に記載の発明は、請求項９に記載の発明において、前記取引用端末装置は、前記デビット利用定手段によるデビット利用の判定時に、前記情報処理センタに対して、前記撮影手段により撮影された顔画像情報を送信する送信手段をさらに備え、前記情報処理センタは、前記取引用端末装置から送信された顔画像情報を記憶する取引情報登録手段を備え、当該取引情報登録手段には、利用実績があるデビットカードのカード情報に対応付けられた正当な利用者の顔画像が登録されることを特徴とする。
【００２１】
また、請求項１１に記載の発明は、請求項１０に記載の発明において、前記情報処理センタは、前記顔画像情報記憶手段により記憶された顔画像と、前記取引情報登録手段に登録された顔画像との照合により、顔画像情報の一致を判定する顔画像情報判定手段と、前記顔画像情報判定手段により判定された判定結果に基づいて、デビット決済の可否を判定するデビット決済判定手段とを備えることを特徴とする。
【００２２】
また、請求項１２に記載の発明は、請求項９、１０または１１に記載の発明において、前記顔画像情報取得手段は、前記顔画像を識別用の変換データとして取得する機能を備えるとともに、前記取引情報登録手段は、顔画像と対応する変換データを記憶する機能を備えることを特徴とする。
【発明の効果】
【００２３】
請求項１に記載の発明によれば、開閉部を操作する操作者の顔画像を撮影する撮影手段を内部に備えるともに、当該撮影手段により撮影された顔画像情報に基づいて人物の認証をおこなう取引用端末装置における人物認証システムであって、前記開閉部の開閉操作を許可された操作者の顔画像を登録した顔画像情報登録手段を有し、前記取引用端末装置は、前記開閉部の開閉動作を検知する開閉動作検知手段と、前記開閉動作検知手段による開閉部の開閉動作検知時に、前記撮影手段を作動させる撮影制御手段と、前記撮影手段により撮影された顔画像を取得する顔画像情報取得手段と、前記顔画像情報取得手段により取得された顔画像と、前記顔画像情報登録手段に登録された顔画像との照合による顔画像情報の一致を判定する顔画像情報判定手段と、前記顔画像情報判定手段により顔画像の不一致が判定された場合に、異常状態として異常対応処理をおこなう異常対応処理手段とを備えたので、内部の収容物を盗まれたり、内部の部品の取り外しなどによる不正改造などによる不正行為を確実に防止することができ、セキュリティの向上を図ることができるという効果を奏する。
【００２４】
請求項２に記載の発明によれば、扉体の開閉をおこなう操作者の顔画像を撮影する撮影手段を内部に備えるともに、当該撮影手段により撮影された顔画像情報に基づいて人物の認証をおこなう取引用端末装置における人物認証システムであって、前記取引用端末装置は、前記扉体の開閉を検知する開閉検知手段と、前記扉体の開閉操作を許可された正当な操作者の顔画像を登録した顔画像情報登録手段と、前記開閉検知手段による扉体の開放検知時に、前記撮影手段を作動させる撮影制御手段と、前記撮影手段により撮影された顔画像を取得する顔画像情報取得手段と、前記顔画像情報取得手段により取得された顔画像と、前記顔画像情報登録手段に登録された顔画像との照合による顔画像情の一致を判定する顔画像情報判定手段と、前記顔画像情報判定手段により顔画像の不一致が判定された場合に、異常状態として異常対応処理をおこなう異常対応処理手段とを備えたので、内部の収容物を盗まれたり、内部の部品の取り外しなどによる不正改造などによる不正行為を確実に防止することができ、セキュリティの向上を図ることができるという効果を奏する。
【００２５】
請求項３に記載の発明によれば、前記開閉動作検知手段は、前記開閉部の開閉を検知するので、この開閉動作検知手段により、内部の収容物を盗まれたり、内部の部品の取り外しなどによる不正改造などによる不正行為を確実に防止することができ、セキュリティの向上を図ることができるという効果を奏する。また、正当な利用者以外の人物による取引用端末装置の利用を確実に防止でき、セキュリティの向上を図ることができるという効果を奏する。
【００２６】
請求項４に記載の発明によれば、前記開閉部は、開閉を禁止する施錠手段を備え、前記開閉動作検知手段は、前記施錠手段の操作を検知するので、この施錠手段の操作を検知することにより、開閉部の開閉を正確に検知できるという効果を奏する。
【００２７】
請求項５に記載の発明によれば、前記異常対応処理手段は、前記開閉部の開閉操作を許可されていない操作者が開閉部の開閉を操作した旨を異常検知情報として外部に報知する機能を備えるとともに、前記異常検知情報を外部の報知先または管理装置に対して送信をおこなう送信機能を備えるので、正当な操作者以外の人物によって開閉部の開閉動作がおこなわれた場合には、内部の部品の取り外しなどの不正行為が施される可能性があるため、迅速に外部の報知先に対して、異常検知状態を知らせることができるという効果を奏する。
【００２８】
請求項６に記載の発明によれば、前記異常対応処理手段は、前記顔画像情報判定手段により顔画像の不一致が判定された場合に、取引用端末装置による運用を一時的に停止する機能を備えるので、内部の部品の取り外しなどによる不正改造などによる異常検知状態にともなう被害を未然に防止できるという効果を奏する。
【００２９】
請求項７に記載の発明によれば、前記顔画像情報取得手段は、前記顔画像を識別用の変換データとして取得する機能を備えるとともに、前記顔画像情報登録手段は、顔画像と対応する変換データを記憶する機能を備えるので、キーデータに対応付けた顔画像情報に基づいて、顔画像情報の判定を正確におこなうことができるという効果を奏する。
【００３０】
請求項８に記載の発明によれば、前記取引用端末装置は、デビットカードの利用によりデビット決済処理をおこなうデビット決済用の取引用端末装置であるので、セキュリティを要求されるデビット端末装置に適用することができるという効果を奏する。
【００３１】
請求項９に記載の発明によれば、、デビットカードによるデビット処理をおこなうとともに、顔画像を撮影する撮影手段を備える取引用端末装置と、当該取引用端末装置と公衆回線により接続されるとともに、デビット決済をおこなう情報処理センタと、金融機関とを備え、前記撮影手段により撮影された顔画像情報に基づいて人物の認証をおこなう取引用端末装置における人物認証システムであって、前記取引用端末装置は、前記取引用端末装置を利用する利用者の顔画像を撮影する撮影手段と、前記利用者による取引用端末装置の利用を判定するデビット利用判定手段と、前記デビット利用判定手段によるデビット利用時に、前記撮影手段を作動させて、前記利用者の顔画像を取得する撮影制御手段と、前記撮影手段により撮影された利用者の顔画像を取得する顔画像情報取得手段と、前記顔画像情報取得手段により取得された顔画像をデビットカードのカード情報に対応付けて記憶する顔画像情報記憶手段とを備えたので、悪意のある第三者による不正カードの使用による不正行為を確実に防止できるという効果を奏する。
【００３２】
請求項１０に記載の発明によれば、前記取引用端末装置は、前記デビット利用定手段によるデビット利用の判定時に、前記情報処理センタに対して、前記撮影手段により撮影された顔画像情報を送信する送信手段をさらに備え、前記情報処理センタは、前記取引用端末装置から送信された顔画像情報を記憶する取引情報登録手段を備え、当該取引情報登録手段には、利用実績があるデビットカードのカード情報に対応付けられた正当な利用者の顔画像が登録されるので、悪意のある第三者による不正カードの使用による不正行為を確実に防止できるという効果を奏する。
【００３３】
請求項１１に記載の発明によれば、前記情報処理センタは、前記顔画像情報記憶手段により記憶された顔画像と、前記取引情報登録手段に登録された顔画像との照合により、顔画像情報の一致を判定する顔画像情報判定手段と、前記顔画像情報判定手段により判定された判定結果に基づいて、デビット決済の可否を判定するデビット決済判定手段とを備えるので、悪意のある第三者による不正カードの使用時には、デビット決済を拒否することにより、不正行為をともなう被害を防止できるという効果を奏する。
【００３４】
請求項１２に記載の発明によれば、前記顔画像情報取得手段は、前記顔画像を識別用の変換データとして取得する機能を備えるとともに、前記取引情報登録手段は、顔画像と対応する変換データを記憶する機能を備えるので、キーデータに対応付けた顔画像情報に基づいて、顔画像情報の判定を正確におこなうことができるという効果を奏する。
【発明を実施するための最良の形態】
【００３５】
以下に、添付図面を参照して、本実施例１に係る取引用端末装置における人物認証システムの好適な実施例を詳細に説明する。なお、以下に示す実施例１では、人物認証システムの概要および特徴を説明した後に、この人物認証システムを構成するデビット端末機３００（取引用端末装置）と情報処理センタ６００の構成および機能の詳細を説明し、次いで、人物認証システムによる人物認証処理手順を説明する。そして、最後に、他の実施例として種々の変形例を説明することとする。なお、以下に示す実施例によりこの発明が限定されるものではない。
【実施例１】
【００３６】
先ず、図１を参照して、本発明の人物認証システムが適用される遊技媒体貸出システムの構成について簡単に説明する。すなわち、図１に示すように、この遊技媒体貸出システムは、ターミナルコントローラ４００（Ｔ／Ｃ）の制御下にある島コントローラ２５５を中心とする複数のパチンコ機１００およびカード処理機１５０と、カード発行機２００と、カード精算機２１０とからなるプリペイドカードシステムと、公衆回路網４５０を通じて通信接続されたデビット端末機３００と情報処理センタ６００とＣＡＦＩＳネットワーク７００（クリアリングセンタ７１０を含む）と、デビットカード発行銀行８００と、加盟店銀行９００と、△△銀行９５０（遊技店の口座）とを介して接続されている。このＣＡＦＩＳネットワーク７００を核とし、更に、情報処理センタ６００の遊技店１００内に設置されたデビット端末機３００へと継がるシステム部分は、デビット決済をおこなうデビットカードシステムと称されている。なお、このデビットカードシステムの詳細については、公知技術であるため詳細は省略する。
【００３７】
また、ターミナルコントローラ４００は、遊技店１００外のカード会社センタ４７０の中央管理コンピュータと公衆回線網４６０により接続されており、この中央管理コンピュータを用いてターミナルコントローラ４００内のデータを管理できるようになっている。
【００３８】
また、遊技店１００内において、デビット端末機３００とカード発行機２００とターミナルコントローラ４００（Ｔ／Ｃ）とが通信接続され、このうちデビット端末機３００は、前述したように、遊技店１００の店外において、ＩＳＤＮなどの公衆回線４５０を介してデビット決済処理をおこなう情報処理センタ６００と通信接続されている。
【００３９】
（人物認証システムの概要および特徴）
次に、図２を参照して、本実施例１に係る人物認証システムの概要および特徴を説明する。図２は、本実施例１に係る人物認証システムの全体構成を説明するためのシステム構成図である。すなわち、図２に示すように、この人物認証システムは、デビット端末機３００を設置した遊技店１００と、デビット決済処理をおこなう情報処理センタ６００と金融機関とを通信接続するシステム構成であって、デビット端末機３００を構成する扉体３１０（請求項の「開閉部」に対応する）の開閉操作をおこなう人物（操作者）をデビット端末機３００の内部に内蔵した撮影カメラ３１２により撮影し、この撮影した人物の顔画像と、予め登録した正当な操作者（扉体３１０の開閉を許可された遊技店１００の係員など）の顔画像と照合することにより認証をおこなう人物認証システムとして構成されている。このため、情報処理センタ６００には、本発明の特徴部分である人物の認証をおこなうための人物認証部６３０を備えている。
【００４０】
ここで、本実施例１の特徴は、デビット端末機３００に対する不正改造（制御ユニット３６５の不正改造）をおこなうには、デビット取引用端末装置３００の扉体３１０を開けて、このデビット端末機３００の内部に取り付けられた制御ユニット３６５の取り外しをおこなう必要があることに着目に、予め、このデビット端末機３００による扉体３１０の開閉操作が許可された正当な操作者（遊技店の係員、管理者、保守会社の保守員など）の顔画像情報を、情報処理センタ６００に備えた係員画像情報データベース６４０（図８）に登録し、この係員画像情報データベース６４０に登録された顔画像と、デビット端末機３００の扉体３１０を開閉する人物を撮影カメラ３１２により撮影した顔画像と照合をおこない、両者の顔画像一致しない場合には、異常検知状態とするシステムとしている。
【００４１】
以下、図２を参照して、この人物認証システムの詳細について説明する。すなわち、デビット端末機３００の扉体３１０の開放が扉体開閉検知センサ３１１（図５）により検知された場合に、この扉体３１０を開けた人物（操作者）の顔画像を撮影カメラ３１２により撮影し、この撮影した顔画像（キーデータ）とデビット端末機３００の端末ＩＤを撮影情報として情報処理センタ６００に送信するとともに、情報処理センタ６００では、人物認証部６３０により、デビット端末機３００から送信された顔画像（キーデータ）と、予め係員画像情報データベース６４０に記憶されている顔画像との照合をおこない（登録情報との照合判定処理）、この係員画像情報データベース６４０に記憶されている顔画像とデビット端末機３００から送信された顔画像とが一致した場合には、デビット端末機３００に対して、正常検知応答通知を送信し、両者の顔画像が一致しない場合には、遊技店１００の係員やホール関係者以外の第三者（不正をおこなう人物）によりデビット端末機３００の扉体３１０が開けられたとして、デビット端末機３００に対して、異常検知応答通知を送信するようにしている。
【００４２】
また、デビット端末機３００では、情報処理センタ６００から正常検知応答通知を受信した場合には、操作ログが印字されたレシートをレシート排出口３８０（図５）から排出し、一方、異常検知応答通知を受信した場合には、異常報知ランプ３４９（図３）パトライトの点灯などによる警報を報知するようにしている。すなわち、これによって、係員などの正当な操作者以外の人物により、扉体３１０が開けられて、制御ユニット３６５の取り外しなどによる不正改造（暗証番号やカード情報のスキミング部品の取り付け）による不正行為を確実に防止することができる。また、この場合、撮影カメラ３１２により撮影された係員画像情報データベース６４０に登録されていない人物（顔画像）は、不審者として遊技店１００に構築されている監視システムなどに利用することができる。
【００４３】
（デビット端末機３００の構成および機能）
次に、図３〜図６を参照して、遊技店１００に備えているデビット端末機３００の構成および機能の詳細について説明する。図３は、図２に示したデビット端末機３００の外観を示した正面図、図４は、デビット端末機３００を構成する扉体３１０の開放状態を示す斜視図、図５は、実施例１に係るデビット端末機３００の内部構成を示す全体機能ブロック図、図６は、デビット制御部３４０の内部構成を示す機能ブロック図をそれぞれ示している。また、図７は、顔画像情報データベース３１４の構成を示す図を、図８は、情報処理センタ６００の内部構成を示す機能ブロック図をそれぞれ示している。以下、これら図３〜図８を参照しながら、本実施例１に係るデビット端末機３００の詳細について説明する。
【００４４】
図３、４に示すように、デビット端末機３００は、縦型の筐体により構成されており、この筐体の片側（図４の右側）には、デビット端末機３００本体（筺体）の開口部を閉塞するとともに、開閉可能に構成された扉体３１０が設けられている。通常、この扉体３１０はデビット端末機３００本体に対して、遊技店１００の係員や保守センターの保守員などが所有する鍵（鍵機構）によって施錠されている。
【００４５】
また、このデビット端末機３００本体内部には、撮影カメラ３１２（図４）が内蔵されており、この撮影カメラ３１２は、扉体３１０の開閉操作をおこなう人物（操作者）の顔画像を正面から撮影できる向きに取り付けられている。また、このデビット端末機３００を構成する筺体の所定位置には、扉体３１０の開閉にともなって、作動（ＯＮ／ＯＦＦ）する扉体開閉検知センサ３１１（図５）が取り付けられている。
【００４６】
すなわち、図３に示すように、デビット端末機３００は、上から順番に、表示部３５０、カメラ用窓部３９５、操作入力部３６０、デビットカード挿入／返却口３７０、レシート発行口３８０、錠機構３９６とを備えている。また、このデビット端末機３００の上面部には、デビット端末機３００に何らかの異常状態（本例では、制御ユニット３６５の取り外しなど）が発生した場合に、この異常状態を周囲に報知するための異常報知ランプ３４９（パトライト）が設けられている。
【００４７】
表示部３５０は、デビット決済による取引金額（プリペイドカードの購入金額）や遊技客による入力操作のガイダンスをおこなう各種情報を表示する機能を有しており、例えば液晶表示器によって構成してある。
【００４８】
カメラ用窓部３９５は、扉体３１０に形成される窓部であり、扉体３１０を閉じたままで、後述する撮影カメラ３１２による操作者の撮影を可能とするものである。
【００４９】
操作入力部３６０（図４に示す、外部操作入力部）は、確認スイッチや取消スイッチ等の各種機能スイッチ、さらにはデビットカード（キャッシュカード）の暗証番号を入力するためのテンキースイッチを備えて構成したものであり、デビット端末機３００の利用時に利用者の暗証番号などを入力する機能を有している。
【００５０】
デビットカード挿入／返却口３７０は、キャッシュカード（デビットカード）を受け入れて、取り込んだデビットカードをデビットカード処理部３９０（図４）において所望の処理を施した後、再度、このデビットカードを返却するための開口である。
【００５１】
レシート発行口３８０は、印字部３８５（図４）において印字処理されたレシートを、遊技客用の利用控えとして排出するための開口である。また、本発明において、このレシート発行口３８０は、デビット決済による決済結果（ＯＫ／ＮＧ）と、デビット端末機３００に対する操作履歴（操作ログ）などが印字されたレシートを発行する機能を備えている。
【００５２】
異常報知ランプ３４９は、情報処理センタ６００から異常検知応答が通知された場合に、デビット端末機３００の周囲に対して、警告を発するために点灯するランプで、具体的には、デビット端末機３００の扉体３１０を開けた人物の顔画像と、予め登録されている顔画像との不一致が判定された場合に、点灯するライトである。なお、この異常検知ランプには、パトライトなどを採用することができる。
【００５３】
（デビット端末機３００の内部構成の詳細）
次に、図５を参照してデビット端末機３００の内部構成の詳細について説明する。すなわち、図５に示すように、デビット端末機３００の内部は、扉体開閉検知センサ３１１（請求項の「開閉動作検知手段」に対応）と、撮影カメラ３１２（請求項の「撮影手段」に対応）と、画像処理部３１３と、顔画像情報データベース３１４と、通信Ｉ／Ｆ部３３０、３３５と、デビット制御部３４０と、表示部３５０と、外部操作入力部３６０（操作入力部）と、印字部３８５と、デビットカード処理部３９０とを備えている。前述したように、デビット制御部３４０と、デビットカード処理部３９０とは一体化された制御ユニット３６５として構成されている。
【００５４】
扉体開閉検知センサ３１１は、扉体３１０の開閉を検知する機能を備えている。この扉体開閉検知センサ３１１には、プッシュスイッチや近接センサなどを使用することができる。後述するように、この扉体開閉検知センサ３１１による扉体３１０の開放検知時には、撮影カメラ３１２による扉体３１０の開閉をおこなう人物の顔画像の撮影がおこなわれる。
【００５５】
撮影カメラ３１２は、ＣＣＤ（Cage Copuled Device）カメラなどにより構成され、扉体３１２を開けた人物の顔画像を撮影する機能を備えている。このため、この撮影カメラ３１２は、扉体３１０の開閉をおこなう人物の顔画像を撮影する向きに取り付けられている。また、扉体３１０にカメラ用窓部３９５が形成されているので、この扉体３１０を閉じたままでも、前方に位置する人物の顔画像を撮影することができる。さらに、この撮影カメラ３１２には、被写体を拡大して撮影するズーム機能を備えるようにしてもよい。
【００５６】
画像情報処理部３１３は、撮影カメラ３１２により撮影された顔画像の画像処理をおこない、撮影カメラ３１２によりアナログ映像として撮影された顔画像をデジタル映像に変換する機能を備えている。
【００５７】
通信Ｉ／Ｆ部３３０は、公衆回線網４５０を通じて情報処理センタ６００との間で通信をおこなう機能を備えており、この通信Ｉ／Ｆ部３３０を通じて、決済希望金額に関わる決済依頼通知と、情報処理センタ６００からデビット端末機３００に対して、異常検知状態と判定した場合の「異常検知対応通知」と、正常検知状態と判定した場合の「正常検知対応通知」との送信を制御する機能を備えている。
【００５８】
通信Ｉ／Ｆ部３３５は、カード発行機２００（図２）の通信Ｉ／Ｆ部（図示せず）と通信自在となっており、これらデビット端末機３００とカード発行機２００との間で、各種情報（発行しようとしているプリペイドカードの金額情報など）の送受信がおこなわれる。
【００５９】
デビット制御部３４０は、デビット端末機３００における各処理を一括してコントロールする制御機能を備えており、ＯＳ（Operating System）などの制御プログラム、各種の処理手順などを規定したプログラムおよび所要データを格納するための内部メモリを有し、これらによって種々の処理を実行する処理部である。
【００６０】
印字部３８５は、デビット制御部３４０から通知された情報を、レシート発行口３８０から発行されるレシートに印字するための機能を有している。具体的には、この印字部３８５により、レシートに対してデビット処理に係る金額情報などが印字される。また、本例では、情報処理センタ６００からデビット端末機３００が正常である旨を示す「正常検知対応通知」が送信された際では、レシートに操作ログを印字する機能を備えている。
【００６１】
デビットカード処理部３９０は、デビットカード挿入／返却口３７０から取り込んだデビットカード（キャッシュカード）に磁気記録されているカード情報を読み取り、その読み取り結果をデビット制御部３４０に通信し、処理が終了すればデビットカードを返却する機能を備えている。
【００６２】
（デビット制御部３４０の構成）
次に、デビット制御部３４０の構成および機能の詳細について説明する。図６は、デビット制御部３４０の内部構成を示す機能ブロック図である。すなわち、図６に示すように、デビット制御部３４０は、扉体開閉判定部３４１と、撮影制御部３４２と、画像情報取得部３４３と、異常状態対応部３４４と、顔画像情報データベース３１４とを備えている。
【００６３】
扉体開閉判定部３４１は、扉体３１０の開閉を検知する扉体開閉検知センサ３１１による検知結果に基づいて、扉体３１０の開閉がおこなわれたか否かを判定する機能を備えている。後述するように、この扉体開閉判定部３４１により、扉体３１０の開閉が検知された場合、撮影制御部３４２による撮影カメラ３１２の作動がおこなわれる。
【００６４】
撮影制御部３４２は、扉体開閉判定部３４１によって扉体３１０の開放が判定された時に、撮影カメラ３１２による撮影を開始させる機能を備えている。
【００６５】
画像情報取得部３４３は、撮影カメラ３１２により撮影された人物の顔画像を画像情報として取得するとともに、この画像情報を人物を特定するキーデータとして変換する機能を備えている。このキーデータは、顔画像情報とともに、顔画像情報データベース３１４において、デビット端末機３００の端末ＩＤに対応付けて記憶される。
【００６６】
異常状態対応部３４４は、情報処理センタ６００から「異常検知対応通知」が通知された場合に、デビット端末機３００の運用（利用）を停止（一時的に、使用不可）させたり、異常報知ランプ３４９（図３）を点灯させて、警報の報知をおこなう機能を備えている。具体的には、なお、この異常状態対応部３４４による運用の停止状態などは、正当な解除操作によって解除され、デビット端末機３００の使用不可状態を復旧することとなる。また、遊技店１００内に設けたホールコンピュータに対しても、異常検知状態を通知する機能を備えている。
【００６７】
顔画像情報データベース３１４は、撮影カメラ３１２により撮影された人物の顔画像を一時的に記憶するデータベースである。以下、この顔画像情報データベース３１４の詳細について、図７を参照して説明する。図７は、顔画像情報データベース３１４の構成内容を示す図である。すなわち、図７に示すように、顔画像情報データベース３１４は、デビット端末機３００の端末ＩＤに対応付けて、撮影カメラ３１２により撮影された顔画像情報と、正常／異常判定結果とを記憶したデータベースである。このうち、正常／異常判定結果は、情報処理センタ６００から送信されるデビット端末機３００における異常検知状態か正常検知状態かの情報を格納するフィールドであり、応答通知による応答通知結果のことを示している。このフィールドには、情報処理センタ６００から送信される判定結果が正常／異常応答のいずれかの判定結果が記憶（入力）される。この顔画像情報データベース３１４によると個別の顔画像情報に対応付けた操作ログなどを管理することができ、セキュリティ対策の一環として利用することができる。
【００６８】
（情報処理センタ６００の内部構成）
次に、図８を参照して、情報処理センタ６００の内部構成について説明する。情報処理センタ６００は、デビット決済判定部６１０と、デビット決済処理部６２０と、人物認証部６３０とを備えており、この人物認証部６３０は、端末情報取得部６３１と、顔画像情報取得部６３２と、顔画像情報判定部６３３と、異常／正常状態判定部６３４と、係員画像情報データベース６４０とを備えている。
【００６９】
デビット決済判定部６１０は、デビット端末機３００による異常検知状態或いは正常検知状態を判定する異常／正常状態判定部６３４による判定に基づいて、デビット決済をおこなうか否かを判定する機能を備えている。
【００７０】
デビット決済処理部６２０は、デビット決済判定部６１０の判定によりデビット決済をおこなうことができると判定された場合に、デビット端末機３００による決済要求を受け入れて金融機関との間でデビット決済処理をおこなう機能を備えている。
【００７１】
人物認証部６３０は、撮影カメラ３１２により撮影された顔画像に基づいて、デビット端末機３００の扉体３１０の開閉をおこなう人物が、予め、この扉体３１０の開閉を許可された人物であるかを認証する機能を備えている。
【００７２】
端末情報取得部６３１は、デビット端末機３００を特定する端末ＩＤ（機番）を取得する機能を備えている。顔画像情報取得部６３２は、デビット端末機３００から送信された顔画像（キーデータ）を画像情報として取得する機能を備えている。
【００７３】
顔画像情報判定部６３３は、係員画像情報データベース６５０（図６）に登録された顔画像情報（キーデータ）と、デビット端末機３００の扉体３１０を開閉する人物を撮影カメラ３１２により撮影した顔画像情報と照合をおこない、両者の顔画像が一致するかの判定をおこなう機能を備えている。
【００７４】
異常／正常状態判定部６３４は、顔画像情報判定部６３３により判定された判定結果（顔画像情報の一致／不一致）に基づいて、デビット端末機３００の状態が異常検知状態であるか、正常検知状態であるかを判定する機能を備えている。この異常／正常状態判定部６３４により判定された判定結果は、情報処理センタ６００からデビット端末機３００に対して応答通知として、送信される。
【００７５】
係員画像情報データベース６４０は、デビット端末機３００の扉体３１０による開閉操作を許可された正当な人物（操作者）の顔画像情報（キーデータ）を予め登録したデータベースである。ここで、正当な操作者とは、遊技店の係員、管理者、デビット端末機３００の保守や修理をおこなう保守会社の保守員などを示している。以下、この係員画像情報データベース６４０の詳細について、図９を参照して説明する。図９は、係員画像情報データベース６４０の構成内容を示す図である。すなわち、図９に示すように、係員画像情報データベース６４０は、デビット端末機３００の端末ＩＤに対応付けて、顔画像情報とキーデータとが記憶（登録）されているデータベースである。後述するように、この係員画像情報データベース６４０に登録されている人物（端末ＩＤと顔画像）以外の操作者が扉体３１０を開けた場合に、デビット端末機３００は、異常検知状態となる。
【００７６】
（人物認証システムにおける人物認証処理手順）
次に、図１０のフローチャートを参照して、本実施例１における人物認証システムにおける人物認証処理手順を説明する。この図１０に示すフローチャートは、遊技店１００に据置されたデビット端末機３００と、情報処理センタ６００との間において、実行される人物認証システムにおける人物認証処理手順を示している。
【００７７】
以下、この実施例１に係る人物認証処理手順について、図１０に示すフローチャートと、係員画像情報データベース６４０（図９）を参照して説明する。なお、係員画像情報データベース６４０には、予めデビット端末機３００の扉体３１０による開閉操作を許可された正当な人物（遊技店の係員、管理者、保守会社の保守員など）の顔画像情報およびキーデータがデビット端末機３００の端末ＩＤに対応付けて登録されていることを条件とする。
【００７８】
すなわち、図１０のフローチャートに示すように、先ず、デビット端末機３００は、扉体３１０が開けられたか否かの判定をおこなう（ステップＳ１１０）。具体的には、デビット端末機３００には、扉体３１０の開閉を検知する扉体開閉検知センサ３２０（図５）が設けられているため、この扉開閉検知センサ３１１が作動（ＯＮ）したかの判定をおこなう。そして、このステップＳ１１０の判定により、扉開閉検知センサ３１１の検知により、扉体３１０が開けられたと判定された場合には（ステップＳ１１０肯定）、デビット端末機３００の内部に備えた撮影カメラ３１２の作動をおこなう（ステップＳ１２０）。前述したように、撮影カメラ３１２の取り付け位置は、扉体３１０の開閉をおこなう人物に向けて設置されているため、これにより、扉体３１０を開けた人物の顔画像を正確に撮影することができる。
【００７９】
次いで、撮影カメラ３１２により撮影された顔画像の取得を顔画像取得部３４０によりおこない（ステップＳ１３０）、顔画像およびキーデータを顔画像情報データベース３１４に記憶する（ステップＳ１４０）。以下、デビット端末機３００は情報処理センタ６００に対して、ステップＳ１３０により撮影した人物の顔画像（キーデータ）およびデビット端末機３００の端末ＩＤを送信する（ステップＳ１５０）。
【００８０】
一方、情報処理センタ６００では、デビット端末機３００から送信された顔画像（キーデータ）を受信すると（ステップＳ１５５肯定）、デビット端末機３００から送信された顔画像情報（キーデータ）とデビット端末機３００の端末ＩＤを取得し（ステップＳ１７０）、以下、ステップＳ１７０により取得した顔画像情報に基づいて、顔画像情報の照合処理に移行する（ステップＳ１８０）。
【００８１】
この顔画像の照合処理は、撮影カメラ３１２により撮影された顔画像と、予め係員情報データベース６４０（図９）に登録されている正当な顔画像との照合をおこなう処理である。すなわち、ステップＳ１５５によりデビット端末機３００から送信された顔画像と、同一の顔画像が係員画像情報データベース６４０にあるか否の判定をおこなう（ステップＳ１９０）。
【００８２】
そして、ステップＳ１９０の判定により、デビット端末機３００から送信された顔画像が係員画像情報データベース６４０に登録されていないと判定された場合は（ステップＳ１９０否定）、遊技店１００の係員などの登録者以外の人物が扉体３１０を開けたこととなるため、異常検知状態として判定し（ステップＳ１９１）、以下、この異常検知状態をデビット端末機３００に対して通知（応答）する「異常検知応答処理」に移行する（ステップＳ１９２）。この「異常検知応答処理」は、デビット端末機３００が異常検知状態である旨を、該当するデビット端末機３００および外部の報知先（遊技店１００と契約している保守会社、警備会社など）に報知する処理である。すなわち、ステップＳ１９３により、異常検知応答通知をデビット端末機３００に送信し、さらに、外部の報知先に対して、異常検知状態の報知をおこない（ステップＳ１９４）、以下、全ての処理を終了する（エンド）。
【００８３】
一方、ステップＳ１９０の判定により、ステップＳ１７０により取得された顔画像が係員顔画像データベース６４０に登録（端末ＩＤに対応する顔画像情報と一致）されていると判定された場合には（ステップＳ１９０肯定）、遊技店１００の係員（登録者）などにより扉体３１０が開けられたこととなるため、正常検知状態として判定し（ステップＳ１９５）、以下、この正常検知状態をデビット端末機３００に対して通知（応答）する「正常検知応答処理」に移行する（ステップＳ１９６）。具体的には、このデビット端末機３００の正常検知状態を情報処理センタ６００に対して送信する正常検知応答の送信をおこない（ステップＳ１９７）、以下、全ての処理を終了する（エンド）。
【００８４】
例えば、デビット端末機３００から送信された端末ＩＤ「45DI81」に対応する顔画像情報が「45DI8−001.jpg」であった場合、図９に示すように、この顔画像情報「45DI8−001.jpg」は、係員顔画像情報データベース６４０に登録されているため、「正常検知応答処理」の対象となる。一方、デビット端末機３００（端末ＩＤ「45DI85」、端末ＩＤ「93EH24」）から送信された顔画像情報が、それぞれ「45DI8−456.jpg」と「93EH−666.jpg」であった場合、図９に示すように、これらの顔画像情報「45DI8−456.jpg」と「93EH−666.jpg」は、係員顔画像情報データベース６４０に登録されてないため、この場合は、「異常検知応答処理」の対象となる。
【００８５】
一方、デビット端末機３００は、前記ステップＳ１５０により情報処理センタ６００に対して、デビット端末機３００の顔画像情報（キーデータ）／端末ＩＤを送信した後では、情報処理センタ６００から異常応答／正常応答いずれかの受信があるかの判定をおこない（ステップＳ２１０）、このステップＳ２１０の判定により、例えば、情報処理センタ６００から「異常検知応答通知」が送信された場合は（ステップＳ２１１）、警告報知処理に移行する（ステップＳ２１２）。この警告報知処理は、デビット端末機３００から周囲に警告状態が発生したことを報知する処理であり、具体的には、異常報知ランプ３４９（図２）の点灯および遊技店１００のホールコンピュータに対する異常検知状態の通知などである。ここで、ステップＳ２１０の判定では、異常検知応答の受信時に警報処理に移行するものとしているが、デビット端末機３００から応答がない場合にも、警告報知処理に移行する。以下、デビット端末機３００は、エラーダウン（ステップＳ２１３）した後、全ての処理を終了する（エンド）。
【００８６】
一方、情報処理センタ６００から「正常検知状態応答通知」が送信された場合（ステップＳ２１５）、デビット端末機３００は、レシート排出口３８０（図５）から操作ログが印字されたレシートを排出して（ステップＳ２１６）、以下、処理を終了する（エンド）。
【００８７】
以上説明したように、実施例１に係る人物認証システムは、デビット端末機３００の扉体３１０の開放時に、この扉体３１０を開けた人物の顔画像を撮影カメラ３１２により撮影するとともに、この顔画像情報を情報処理センタ６００に送信し、情報処理センタ６００では、このデビット端末機３００から送信された顔画像情報と、予め係員画像情報データベース６４０に登録されてい顔画像情報との照合をおこない、両者の顔画像情報が一致しない場合には、ホール関係者以外の第三者（不正をおこなう人物）によりデビット端末機３００の扉体３１０が開けられたとして、異常報知ランプ３４９（パトライト）の点灯などにより警報を発するので、制御ユニット３６５（図５）の取り外しなどによる不正改造（暗証番号やカード情報のスキミング部品の取り付け）による不正行為を確実に防止することができる。
【実施例２】
【００８８】
次に、本発明の人物認証システムに係る実施例２の詳細を説明する。ここで、図１１は、実施例２に係る人物認証システムのシステム構成図を、図１２は、デビット制御部３４０ａの内部構成を示す機能ブロック図を、図１３は、情報処理センタ６００ａの内部構成を示す機能ブロック図を、図１４は、取引情報データベース６５０の構成内容を示す図を、図１５は、実施例２に係る人物認証システムにおける人物認証処理手順の流れを示すフローチャートをそれぞれ示している。以下、これら図１１〜図１５を参照しながら、本実施例２に係るデビット端末機３００ａの詳細について説明する。なお、本実施例２におけるデビット端末機３００ａの外観および内部構成を示す機能ブロック図は、前記実施例１における図３および図５の外観および内部構成と同一である。このため、前述した実施例１の外観図および各機能ブロック図による構成要件と同一の構成要件については、詳細な説明を省略する。
【００８９】
図１１は、本実施例２に係る人物認証システムの構成を示すシステム構成図である。すなわち、図１１に示すように、本実施例２の特徴は、撮影カメラ３１２により撮影された人物の顔画像と、過去に使用されたデビットカードの利用時に記憶された顔画像（キーデータ）が登録してある取引情報データベース６５０との照合をおこない、顔画像が一致しない場合は、不正カードを使用するなどの不正な人物による利用として、デビット決済を拒否することにある。
【００９０】
以下、図１１を参照して、具体的に説明すると、デビットカード（キャッシュカード）の挿入により、デビット端末機３００（デビット決済）が利用された際に、この人物（利用客）の顔画像を撮影カメラ３１２ａにより撮影し、この撮影カメラ３１２ａにより撮影された顔画像情報（キーデータ）およびカード情報を情報処理センタ６００に送信するとともに、情報処理センタ６００では、このデビット端末機３００から送信された顔画像情報（キーデータ）およびカード情報と、予め登録されている取引情報データベース６５０に記憶されている顔画像との照合をおこない、この取引情報データベース６５０に記憶されている顔画像情報と送信顔画像情報とが一致しない場合には、正当な利用客以外の第三者（不正をおこなう人物）により、他人のキャッシュカードを使用してデビット端末機３００を利用しようとしているとして、デビット決済を拒否するシステムとしている。
【００９１】
すなわち、これによって、正当な利用客以外の不正カードの利用による悪意のある人物によるデビット決済を確実に阻止することができるうえ、デビット端末機３００（デビット決済）の利用客にとっては、セキュリティ性の高いシステムとして、デビット端末機３００の利用頻度の向上を期待することができる。
【００９２】
また、本実施例２においても、実施例１と同様、撮影カメラ３１２ａは、デビット端末機３００ａを利用しようとする利用者の顔画像を正面から撮影できる位置に取り付けられている。そして、この撮影カメラ３１２ａにより、デビット端末機３００を利用する人物（デビット決済の利用者）を撮影することができる。さらに、撮影カメラ３１２ａは、扉体２１０を閉じた状態でも、カメラ用窓部３９５を通じて、利用者を撮影することができる。
【００９３】
（デビット端末機３００ａの内部構成の詳細）
また、この実施例２におけるデビット端末機３００ａの内部は、前述した実施例１と同様、扉体開閉検知センサ３１１（請求項の「開閉動作検知手段」に対応）と、撮影カメラ３１２（請求項の「撮影手段」に対応）と、画像処理部３１３と、顔画像情報データベース３１４と、通信Ｉ／Ｆ部３３０、３３５と、デビット制御部３４０ａと、表示部３５０と、外部操作入力部３６０（操作入力部）と、印字部３８５と、デビットカード処理部３９０とを備えている。
【００９４】
デビット端末機３００ａは、このデビット端末機３００（デビット決済）が利用された際に、予め登録されている取引情報データベース６５０に記憶されている顔画像との照合をおこない、この取引情報データベース６５０に記憶されている顔画像情報と送信顔画像情報とが一致しない場合には、正当な利用客以外の第三者（不正をおこなう人物）により、他人のキャッシュカードを使用してデビット端末機３００を利用しようとしているとして、デビット決済を拒否する機能を備えている。
【００９５】
扉体開閉検知センサ３１１は、扉体３１０の開閉を検知する機能を備えている。この扉体開閉検知センサ３１１には、プッシュスイッチや近接センサなどを使用することができる。後述するように、この扉体開閉検知センサ３１１による扉体３１０の開放検知時には、撮影カメラ３１２による扉体３１０の開閉をおこなう人物の顔画像の撮影がおこなわれる。
【００９６】
（デビット制御部３４０ａの構成）
次に、デビット制御部３４０ａの構成および機能の詳細について説明する。図１２は、デビット制御部３４０ａの内部構成を示す機能ブロック図である。すなわち、図１２に示すように、デビット制御部３４０ａは、デビット利用判定部３３９と、撮影制御部３４２ａと、画像情報取得部３４３ａとを備えている。
【００９７】
デビット利用判定部３３９は、利用客によりデビット端末機３００の使用が開始することを判定する機能を備えている。具体的には、利用客によりキャッシュカードがカード挿入／返却口３７０（図１３）に挿入されたことを取得することにより、デビット端末機３００の利用を判定する機能を備えている。
【００９８】
撮影制御部３４２ａは、デビット利用判定部３３９によりデビットカード（キャッシュカード）によるデビット端末機３００の使用があると判定した場合に、撮影カメラ３１２ａを作動させ顔画像を撮影する機能を備えている。
【００９９】
画像情報取得部３４３ａは、撮影カメラ３１２ａにより撮影された人物の顔画像を画像情報として取得するとともに、この画像情報を人物を特定するキーデータとして変換する機能を備えている。このキーデータは、顔画像とともに、取引情報データベース６５０（図９）において、デビット端末機３００ａの端末ＩＤに対応付けて記憶される。
【０１００】
（情報処理センタ６００ａの内部構成）
次に、図１３を参照して、情報処理センタ６００ａの内部構成について説明する。情報処理センタ６００ａは、デビット決済判定部６１０と、デビット決済処理部６２０と、人物認証部６３０ａとを備えており、この人物認証部６３０ａは、顔画像情報取得部６３２ａと、顔画像情報判定部６３３ａと、カード情報取得部６３５と、新規顔画像情報登録部６３６と、取引情報データベース６５０とを備えている。
【０１０１】
デビット決済判定部６１０は、顔画像情報判定部６３３ａによる判定結果に基づいて、デビット決済をおこなうか否かを判定する機能を備えている。
【０１０２】
デビット決済処理部６２０は、デビット決済判定部６１０の判定によりデビット決済をおこなうことができると判定された場合に、デビット端末機３００による決済要求を受け入れて金融機関との間でデビット決済処理をおこなう機能を備えている。
【０１０３】
人物認証部６３０ａは、撮影カメラ３１２ａにより撮影された顔画像に基づいて、デビット端末機３００を利用する利用者が、予め、このデビット端末機３００の利用を許可された人物（過去にデビットカードによる取引実績がある利用客）であるかを認証する機能を備えている。
【０１０４】
顔画像情報取得部６３２ａは、デビット端末機３００を特定する端末ＩＤ（機番）に対応付けて、このデビット端末機３００から送信された顔画像情報とキーデータとを取得する機能を備えている。
【０１０５】
顔画像情報判定部６３３ａは、係員画像情報データベース６５０（図６）に登録された顔画像と、デビット端末機３００（キャッシュカードによるデビット決済）を利用する人物を撮影した顔画像との照合により、両者の顔画像が一致するかの判定をおこなう機能を備えている。
【０１０６】
カード情報取得部６３５は、デビットカード挿入／返却口３７０（図１３）から挿入されたデビットカード（キャッシュカード）に記録されているカード情報を取得する機能を備えている。また、このカード情報取得部６３５は、遊技店１００の会員が所有する会員カードの会員コードを取得する機能も備えている。
【０１０７】
新規顔画像情報登録部６３６は、初めてデビット端末機３００を利用する利用客を新規の利用者として認識するとともに、取引情報データベース６５０に登録する機能を備えている。具体的には、デビット端末機３００（キャッシュカードによるデビット決済）を利用する人物が取引情報データベース６５０内に登録されているカード情報および顔画像情報に該当しない場合、この利用者が新規の登録者の対象となる。
【０１０８】
取引情報データベース６５０は、過去にデビット端末機３００によるデビット利用実績がある人物、遊技ホールの会員など（デビット端末機３００によるデビット利用が許可された正当な利用者）が所有するキャッシュカードのカード情報（会員コード）に対応付けて顔画像を登録したデータベースである。
【０１０９】
後述するように、正当な利用者以外の人物により、デビット端末機３００が利用された場合、過去に利用実績があるキャッシュカードのカード情報に対応付けられた顔画像情報と一致しない顔画像情報が送信されたとして、異常検知となりデビット決済は拒否されることとなる。
【０１１０】
次いで、取引情報データベース６５０の詳細について説明する。図１４は、取引情報データベース６５０の構成内容を示す図である。すなわち、同図に示すように、この取引情報データベース６５０は、デビット端末機３００の利用者が所有するデビットカード（キャッシュカード）のカード情報に対応付けて、過去にデビット端末機３００によるデビット利用実績がある人物や遊技店の会員などの顔画像情報が予め記憶／登録されているデータベースである。具体的には、図１４に示すように、キャッシュカード（会員カード）のカード情報（会員コード）に対応付けて、過去にデビット決済の利用実績がある利用客の顔画像情報とキーデータとがそれぞれ登録されているデータベースである。
【０１１１】
（人物認証システムにおける人物認証処理手順）
以下、図１５のフローチャートを参照して、実施例２に係る人物認証システムにおける人物認証処理手順について説明する。
【０１１２】
すなわち、図１５のフローチャートに示すように、先ず、デビット端末機３００の待機中において、遊技客（デビットカードの利用客）によりデビット端末機３００のカード挿入／返却口３７０（図１３）にデビットカード（キャッシュカード）が挿入されると（ステップＳ３１０）、デビット端末機３００のデビットカード処理部３９０（図１３）は、この挿入されたキャッシュカードからカード情報（キャッシュカードの識別ＩＤ）を読み取る（ステップＳ３２０）。
【０１１３】
以下、キャッシュカードを挿入した遊技客に対して暗証番号の入力を要求する暗証番号の入力指示ガイダンスの表示をおこなう（ステップＳ３３０）。具体的には、デビット端末機３００の表示部３５０に「暗証番号を入力して下さい」などのガイダンスを表示する。
【０１１４】
ここで、暗証番号の入力要求を表示部３５０の表示により確認した遊技客がデビット端末機３００により暗証番号を入力すると（ステップＳ３３５肯定）、デビット端末機３００は、この入力された暗証番号およびカード情報を一旦保持（記憶）する（ステップＳ３４０）。次いで、撮影カメラ３１２ａにより利用者の顔画像を取得し（ステップＳ３４５）、カード情報と対応付けて、撮影カメラ３１２ａにより撮影された顔画像情報を記憶する（ステップＳ３５０）。以下、この顔画像情報および決済依頼を情報処理センタ６００に対して送信する（ステップＳ３５５）。なお、この決済依頼には、利用客のキャッシュカードによるカード情報および暗証番号の他、カード発行機２００（図１）によるプリペイドカードの購入希望金額などが含まれている。
【０１１５】
一方、情報処理センタ６００では、デビット端末機３００から送信されたカード情報および顔画像（キーデータ）を受信すると（ステップＳ３６０肯定）、次いで、顔画像情報の照合処理に移行する（ステップＳ３６５）。このステップＳ３６５による顔画像情報の照合処理は、キャッシュカードのカード情報と対応付けて、ステップＳ３５５により送信された顔画像（キーデータ）と取引情報データベース６５０（図１４）に記憶された顔画像（キーデータ）との照合をおこなう処理である。
【０１１６】
すなわち、次のステップＳ３７０により、デビット端末機３００から送信された顔画像情報が登録された顔画像情報であるかの判定をおこなう（ステップＳ３７０）。具体的には、ステップＳ３５５により送信された顔画像（キーデータ）が取引情報データベース６５０（図１４）に登録されていないと判定された場合には（ステップＳ３７０否定）、今回のキャッシュカードによる利用客は新規のデビット利用者として新規登録をおこなう（ステップＳ３７２）。具体的に説明すると、デビット端末機３００（キャッシュカードによるデビット決済）を利用する人物が取引情報データベース６５０内に登録されているカード情報および顔画像情報（キーデータ）に該当しない場合、この利用者が新規の登録者の対象となる。以下、この新規登録をおこなった利用客の決済依頼に基づくデビット決済開始処理に移行する（ステップＳ３７６）。すなわち、次のステップＳ３７８によりデビット決済が終了したかの判定をおこない（ステップＳ３７８）、このステップＳ３７８の判定により、デビット決済が終了した場合には（ステップＳ３７８肯定）、次のステップＳ３７９によりデビット端末機３００に対して、デビット決済結果通知を送信する（ステップＳ３７９）。
【０１１７】
一方、Ｓ３７０の判定により、ステップＳ３５５により送信された顔画像（キーデータ）が取引情報データベース６５０（図１６）に登録されている場合には（ステップＳ３７０肯定）、次に、キャッシュカードを利用した人物が過去に取引実績のある本人であるかの判定をおこなう（ステップＳ３７５）。具体的に説明すると、取引情報データベース６５０からデビット端末機３００の端末ＩＤに対応する顔画像情報（キーデータ）を抽出するとともに、この顔画像情報（キーデータ）とステップＳ３５５により送信された顔画像（キーデータ）との照合をおこない、両者の顔画像情報が一致した場合に、登録されている本人として判定する。
【０１１８】
以下、ステップＳ３７５の判定により本人であると判定された場合には（ステップＳ３７５肯定）、デビット決済開始処理に移行する（ステップＳ３７６）。以下、デビット決済が終了した場合には（ステップＳ３７８肯定）、次のステップＳ３７９によりデビット端末機３００に対して、デビット決済結果通知を送信する（ステップＳ３８２）。
【０１１９】
一方、ステップＳ３７５の判定により本人でないと判定された場合には（ステップＳ３７５否定）、次のデビット決済拒否処理に移行する（ステップＳ３８０）。このデビット決済拒否処理は、過去の取引結果による顔画像情報と顔画像情報とが一致しない場合に、デビット決済を拒否し、この拒否結果をデビット端末機３００に送信する処理である。具体的には、次のステップＳ３８２によりデビット端末機３００に対して、デビット決済拒否応答通知を送信する（ステップＳ３８２）。つまり、過去にデビット決済による取引実績がある利用客のキャッシュカードのカード情報と対応する顔画像情報と、このカード情報に対応するデビット端末機３００から送信された顔画像情報とが一致しない場合には、第三者が本人になりすまして、キャッシュカードを使用していると判定することができる。
【０１２０】
一方、デビット端末機３００では、情報処理センタ６００からデビット決済結果が送信されると（ステップＳ３９０肯定）、決済結果の表示をおこない（ステップＳ３９１）、決済結果が決済拒否応答の場合（ステップＳ３９２）、デビットカード挿入／返却口３７０（図１３）からキャッシュカードを返却し、レシート排出口３８０（図１３）から決済結果が印字されたレシートを排出して（ステップＳ３９５）、全ての処理を終了する（エンド）。
【０１２１】
一方、決済結果が決済終了応答の場合（ステップＳ３９３）、カード発行機２００（図１）へ発行指示を通知した後（ステップＳ３９４）、デビットカード挿入／返却口３７０（図１３）からキャッシュカードを返却し、レシート排出口３８０（図１３）から決済結果が印字されたレシートを排出して（ステップＳ３９５）、全ての処理を終了する（エンド）。
【０１２２】
以上説明したように、実施例２に係る人物認証システムは、撮影カメラ３１２ａにより撮影された人物の顔画像と、過去に取引されたデビットカードの利用時に記憶された顔画像（キーデータ）との比較をおこない、両者の顔画像が一致しない場合は、不正な利用客として決裁を拒否するので、不正カードの利用による不正行為を確実に防止できるという効果を奏する。
【０１２３】
ここで、以上説明した実施例１、２では、取引用端末装置をデビット決済をおこなう時に利用されるデビット端末機を適用することとして説明したが、本発明は、デビット端末機に限らず、その他、遊技店などに設置される両替機やカード販売機、玉計数機などのセキュリティが特に要求される取引用端末装置における人物認証システムに利用することができる。
【０１２４】
（他の実施例）
さて、これまで本発明の実施例について説明したが、本発明は上述した実施例１、２以外にも、上記特許請求の範囲に記載した技術的思想の範囲内において、種々の異なる実施例にて実施することもできる。以下では、本発明に関する種々の変形例を順に説明する。
【０１２５】
すなわち、上述した実施例１では、扉体３１０を開けた人物の顔画像と、予め登録された扉体３１０の開閉（操作）を許可されている遊技店１００の係員などの顔画像情報が格納された係員画像情報データベース６４０に格納されている顔画像情報との照合をおこない、両者の顔画像が一致しない場合を、異常検知状態としているが、特に、事前に正当な操作者を登録することなく、常に、初めて扉体３１０を開けた人物を検知したときに警告を報知するようにしてもよい。この場合、正当な操作者の顔画像を事前に撮影して登録する作業を省略することができる。
【０１２６】
また、上述した実施例１では、デビット端末機３００の扉体３１０を開けた人物の顔画像と、正当な操作者として登録された係員の顔画像との照合により、両者の顔画像が不一致の場合を条件として、異常検知状態としているが、デビット端末機３００の扉体３１０が開けられたことを検知した際に、この扉体３１０を開けた人物の顔画像を撮影カメラ３１２により撮影できない場合、撮影カメラ３１２に何らかの細工を施したり（例えば、レンズを塞ぐなどの行為）、撮影範囲から顔をずらすなどの行為がおこなわれた可能性が高いので、当該人物には撮影されたくない意図があると判断し、無条件に警報を発するようにしてもよい。
【０１２７】
また、上述した各実施例では、予め登録した操作者以外の操作者が撮影された場合に異常状態と判断しているが、デビット端末機３００で情報を管理し、情報処理センタ６００に情報を送信するのではなく、異常状態を判断した場合には、デビット端末機３００が保有する端末情報を全てクリアし、利用不可状態とする制御をおこなってもよい。
【０１２８】
また、上述した各実施例では、撮影カメラ３１２で扉体３１０の開閉を操作する人物の顔画像を撮影し、この顔画像を情報処理センタ６００に送信するようにしているが、この撮影カメラ３１２により撮影した人物の顔画像は、情報処理センタ６００に顔画像情報として送信することなく、デビット端末機３００自身で、この顔画像情報を保存するようにしてもよい。この場合、個別の顔画像情報に対応付けた操作ログなどを管理することができ、セキュリティ対策の一環として利用することができる。
【０１２９】
また、デビット端末機３００から情報処理センタ６００に対する顔画像情報（キーデータ）の送信が完了するまでに、デビット端末機３００の電源がＯＦＦとなった場合には、再度電源ＯＮ時に、情報処理センタ６００に対する送信を再開するとともに、この送信が完了するまで、デビット端末機３００による取引（運用）を一時的に停止する制御をおこなってもよい。
【０１３０】
また、上述した実施例１では、「開閉動作検知手段」として、「扉体開閉検知センサ」を用いたが、「錠機構」に検知手段を配置し、「錠機構」が操作されるとカメラを作動して操作者の顔画像を撮影するようにする。ここで、「錠機構」を操作することは、扉体を開放しようとする動作の一部であり、「開閉動作」に含まれる。
【０１３１】
また、上述した実施例１では、「開閉部」として、「扉体」を挙げたが、小型の端末装置では、「扉体」が形成されず、「カバー体（外カバー）」を開閉することによって、メンテナンスがおこなわれる。そこで、「開閉部」として、開閉可能な「カバー体」を設け、この「カバー体」に「開閉動作検知手段」を備える構成としてもよい。なお、小型の端末装置とは、例えば、玉の計数をおこない計数結果をレシートに印字して発行する玉計数機などを指す。
【０１３２】
また、上述した実施例１では、「係員画像情報データベース」を「情報処理センタ」に配置し、扉体の開閉動作を検知した際に、「情報処理センタ」に対して、問い合わせをおこなうようにしているが、少なくとも自装置について許可された係員の顔画像情報を、設定時や電源ＯＮ時に、端末装置内に取り込んで、記憶しておいて、扉体の開閉時に自装置内でチェックするようにしてもよい。この場合、「情報処理センタ」に対して、問い合わせをおこなわないため、迅速な判定が可能となる。
【産業上の利用可能性】
【０１３３】
以上のように、本発明に係る人物認証システムは、取引用端末装置を操作する操作者や、この取引用端末装置を利用する利用者の個人認証を確実におこなうことが要求されるデビット端末機や現金自動取引装置（ＡＴＭ）などの取引用端末装置による人物認証システムに適している。
【図面の簡単な説明】
【０１３４】
【図１】実施例１に係る人物認証システムが適用される遊技媒体貸出システムを示す全体構成図である。
【図２】本実施例１に係る人物認証システムの全体構成を示すシステム構成図である。
【図３】図２に示したデビット端末機の外観を示す正面図である。
【図４】デビット端末機における扉体の開放状態を示す斜視図である。
【図５】実施例１に係るデビット端末機の内部構成を示す全体機能ブロック図である。
【図６】デビット制御部の内部構成を示す機能ブロック図である。
【図７】顔画像データベースの構成を示す説明図である。
【図８】情報処理センタの内部構成を示す機能ブロック図である。
【図９】係員顔画像情報データベースの構成を示す説明図である。
【図１０】実施例１に係る人物認証システムにおける人物認証処理手順の流れを示すフローチャートである。
【図１１】実施例２に係る人物認証システムを説明するシステム構成図である。
【図１２】実施例２に係るデビット制御部の内部構成を示す機能ブロック図である。
【図１３】実施例２に係る情報処理センタの内部構成を示す機能ブロック図である。
【図１４】取引情報データベースの構成を示す説明図である。
【図１５】実施例２に係る人物認証システムにおける人物認証処理手順の流れを示すフローチャートである。
【符号の説明】
【０１３５】
１００  遊技店
１１０  パチンコ機
１５０  カード処理機
２００  カード発行機
２１０  カード精算機
２５５  島コントローラ
３００、３００ａ  デビット端末機
３１０  扉体
３１１  扉体開閉検知センサ
３１２、３１２ａ  撮影カメラ
３１３  画像処理部
３１４  顔画像情報データベース
３３０、３３５  通信Ｉ／Ｆ部
３３９  デビット利用判定部
３４０、３４０ａ  デビット制御部
３４１  扉体開閉判定部
３４２、３４２ａ  撮影制御部
３４３、３４３ａ  画像情報取得部
３４４  異常状態対応部
３４９  異常報知ランプ
３５０  表示部
３６５  制御ユニット
３７０  デビットカード挿入／返却口
３８０  レシート排出口
３８５  印字部
３９０  デビットカード処理部
３９５  カメラ用窓部
３９６  錠機構
４００  ターミナルコントローラ（Ｔ／Ｃ）
４５０、４６０  公衆回線網
４７０  カード会社センタ
６００  情報処理センタ
６１０  デビット決済判定部
６２０  デビット決済処理部
６３０、６３０ａ  人物認証部
６３１  端末情報取得部
６３２  顔画像情報取得部
６３３  顔画像情報判定部
６３４  異常／正常状態判定部
６３５  カード情報取得部
６４０  係員画像情報データベース
６５０  取引情報データベース
７００  ＣＡＦＩＳネットワーク
７１０  クリアリングセンタ
８００  デビットカード発行銀行
９００  加盟店銀行
９５０  △△銀行
【図１】
2006031282.tif 000003
【図２】
2006031282.tif 000004
【図３】
2006031282.tif 000005
【図４】
2006031282.tif 000006
【図５】
2006031282.tif 000007
【図６】
2006031282.tif 000008
【図７】
2006031282.tif 000009
【図８】
2006031282.tif 000010
【図９】
2006031282.tif 000011
【図１０】
2006031282.tif 000012
【図１１】
2006031282.tif 000013
【図１２】
2006031282.tif 000014
【図１３】
2006031282.tif 000015
【図１４】
2006031282.tif 000016
【図１５】
2006031282.tif 000017